【手続補正書】
【提出日】平成26年11月25日(2014.11.25)
【手続補正１】
【補正対象書類名】特許請求の範囲
【補正対象項目名】全文
【補正方法】変更
【補正の内容】
【特許請求の範囲】
【請求項１】
複数の基地局のうちの少なくともいずれかがリファレンス信号以外の送信が制限される送信制限フレームに設定した１または２以上の通信フレームを通信端末に通知し、当該１または２以上の通信フレームの品質測定結果を前記通信端末から受信する通信部と、
前記１または２以上の通信フレームの品質測定結果に基づき、前記１または２以上の通信フレームの各々を干渉から保護された保護フレーム、または非保護フレームとして扱うかを判断する判断部と、
を備える、通信制御装置。
【請求項２】
前記通信部は、前記１または２以上の通信フレームの各々の品質測定結果を前記通信端末から受信し、
前記判断部は、前記１または２以上の通信フレームの各々の品質測定結果に基づき、前記１または２以上の通信フレームの各々を前記保護フレーム、または前記非保護フレームとして扱うかを判断する、請求項１に記載の通信制御装置。
【請求項３】
前記通信部は、前記１または２以上の通信フレームを構成する通信フレームのグループを前記通信端末に通知し、前記通信端末から前記通信フレームのグループごとの品質測定結果を前記通信端末から受信し、
前記判断部は、前記通信フレームのグループごとの品質測定結果に基づき、前記１または２以上の通信フレームの各々を、前記通信フレームのグループごとに前記保護フレーム、または前記非保護フレームとして扱うかを判断する、請求項１に記載の通信制御装置。
【請求項４】
同一パターンの基地局が前記送信制限フレームに設定している通信フレームを同一グループに分類される、請求項３に記載の通信制御装置。
【請求項５】
前記通信制御装置は、前記複数の基地局のうちの第１の基地局より送信電力が低く、前記第１の基地局が提供するセル内に配置される、請求項１〜４のいずれか一項に記載の通信制御装置。
【請求項６】
前記通信制御装置は、前記通信制御装置が提供するセル内の一部の通信端末との通信に、前記非保護フレームを割当てず、前記保護フレームを割当てる、請求項１〜５のいずれか一項に記載の通信制御装置。
【請求項７】
複数の基地局のうちの少なくともいずれかがリファレンス信号以外の送信が制限される送信制限フレームに設定した１または２以上の通信フレームを通信端末に通知することと、
前記１または２以上の通信フレームの品質測定結果を前記通信端末から受信することと、
前記１または２以上の通信フレームの品質測定結果に基づき、前記１または２以上の通信フレームの各々を干渉から保護された保護フレーム、または非保護フレームとして扱うかを判断することと、
を含む、通信方法。
【請求項８】
コンピュータを、
複数の基地局のうちの少なくともいずれかがリファレンス信号以外の送信が制限される送信制限フレームに設定した１または２以上の通信フレームを通信端末に通知し、当該１または２以上の通信フレームの品質測定結果を前記通信端末から受信する通信部と、
前記１または２以上の通信フレームの品質測定結果に基づき、前記１または２以上の通信フレームの各々を干渉から保護された保護フレーム、または非保護フレームとして扱うかを判断する判断部と、
として機能させるための、プログラム。
【請求項９】
通信制御装置から、複数の基地局のうちの少なくともいずれかがリファレンス信号以外の送信が制限される送信制限フレームに設定した１または２以上の通信フレームの通知を受ける通信部と、
前記１または２以上の通信フレームの品質測定を行う品質測定部と、
を備え、
前記通信部は、前記品質測定部による品質測定結果を前記通信制御装置に送信する、通信端末。
【請求項１０】
通信制御装置から、複数の基地局のうちの少なくともいずれかがリファレンス信号以外の送信が制限される送信制限フレームに設定した１または２以上の通信フレームの通知を受けることと、
前記１または２以上の通信フレームの品質測定を行うことと、
前記１または２以上の通信フレームの品質測定結果を前記通信制御装置に送信することと、
を含む、通信方法。
【請求項１１】
コンピュータを、
通信制御装置から、複数の基地局のうちの少なくともいずれかがリファレンス信号以外の送信が制限される送信制限フレームに設定した１または２以上の通信フレームの通知を受ける通信部と、
前記１または２以上の通信フレームの品質測定を行う品質測定部と、
を備え、
前記通信部は、前記品質測定部による品質測定結果を前記通信制御装置に送信する、通信端末として機能させるための、プログラム。
【手続補正２】
【補正対象書類名】明細書
【補正対象項目名】０００３
【補正方法】変更
【補正の内容】
【０００３】
また、ＬＴＥのＲｅｌ１０では、ＡＢＳ（Ａｌｍｏｓｔ  Ｂｌａｎｋ  Ｓｕｂｆｒａｍｅ）という干渉制御方法が規格化された。ＡＢＳは、一部のサブフレームにおいてマクロｅＮｏｄｅＢからのリファレンス信号以外の送信を制限すること、または、マクロｅＮｏｄｅＢからのリファレンス信号以外の送信が制限されるサブフレームである。このＡＢＳに設定されたサブフレームでは、マクロｅＮｏｄｅＢが提供するセル内のピコｅＮｏｄｅＢに属するＵＥ（Ｕｓｅｒ  Ｅｑｕｉｐｍｅｎｔ）の受信信号に対する干渉を減少させることが可能である。なお、隣接するマクロｅＮｏｄｅＢ間で同一のサブフレームに設定されることが想定されていた。
【手続補正３】
【補正対象書類名】明細書
【補正対象項目名】００１１
【補正方法】変更
【補正の内容】
【００１１】
【図１】本開示の実施形態による通信システムの構成を示した説明図である。
【図２】４Ｇのフレームフォーマットを示した説明図である。
【図３】ピコｅＮｏｄｅＢのレンジ拡張エリアを示した説明図である。
【図４】ＡＢＳに設定されたサブフレームを示す説明図である。
【図５】ＭＢＳＦＮ型のＡＢＳに設定されたサブフレームを示す説明図である。
【図６】Ｃｏｎｆｉｇｕｒａｔｉｏｎの具体例を示した説明図である。
【図７】本開示の第１の実施形態によるｅＮｏｄｅＢの構成を示した機能ブロック図である。
【図８】干渉判断部による判断の具体例を示した説明図である。
【図９】本開示の第１の実施形態によるｅＮｏｄｅＢの動作を示したフローチャートである。
【図１０】干渉判断部による判断の変形例を示した説明図である。
【図１１】変形例による動作を示したフローチャートである。
【図１２】第１の実施形態の応用例を示した説明図である。
【図１３】本開示の第２の実施形態によるｅＮｏｄｅＢの構成を示した機能ブロック図である。
【図１４】ｅＮｏｄｅＢおよびピコｅＮｏｄｅＢの配置の一例を示した説明図である。
【図１５】本開示の第２の実施形態によるｅＮｏｄｅＢの動作を示したフローチャートである。
【図１６】本開示の第３の実施形態によるピコｅＮｏｄｅＢの構成を示した説明図である。
【図１７】本開示の第３の実施形態によるＵＥの構成を示した機能ブロック図である。
【図１８】本開示の第３の実施形態による信号品質の測定の具体例を示した説明図である。
【図１９】信号品質測定の応用例を示した説明図である。
【図２０】本開示の第３の実施形態による通信システムの動作を示したシーケンス図である。
【手続補正４】
【補正対象書類名】明細書
【補正対象項目名】００２９
【補正方法】変更
【補正の内容】
【００２９】
（制御領域の干渉制御−ＡＢＳ）
このため、制御領域の干渉制御のために、ＡＢＳ（Ａｌｍｏｓｔ  Ｂｌａｎｋ  Ｓｕｂｆｒａｍｅ）が採用された。ＡＢＳは、一部のサブフレームにおいてマクロｅＮｏｄｅＢからのリファレンス信号以外の送信を制限することであり、ＡＢＳに設定されたサブフレームは、リファレンス信号以外の送信が制限される送信制限フレームとなる。以下、図４を参照し、ＡＢＳについてより具体的に説明する。
【手続補正５】
【補正対象書類名】明細書
【補正対象項目名】００６５
【補正方法】変更
【補正の内容】
【００６５】
具体的には、干渉判断部１７０は、対象のサブフレームがサービングｅＮｏｄｅＢ１０によりＡＢＳに設定されているか否かを判断する（Ｓ４１２）。そして、対象のサブフレームがサービングｅＮｏｄｅＢ１０によりＡＢＳに設定されていない場合、干渉判断部１７０は当該サブフレームを非保護フレームと判断する（Ｓ４１６）。
【手続補正６】
【補正対象書類名】明細書
【補正対象項目名】００６６
【補正方法】変更
【補正の内容】
【００６６】
一方、干渉判断部１７０は、対象のサブフレームがサービングｅＮｏｄｅＢ１０によりＡＢＳに設定されている場合、全ての隣接するｅＮｏｄｅＢ１０が当該サブフレームをＡＢＳに設定しているか否かを判断する（Ｓ４２０）。そして、全ての隣接するｅＮｏｄｅＢ１０が当該サブフレームをＡＢＳに設定している場合、干渉判断部１７０は当該サブフレームを保護フレームと判断する（Ｓ４２４）。一方、一部の隣接するｅＮｏｄｅＢ１０が当該サブフレームをＡＢＳに設定していない場合（Ｓ４２０）、干渉判断部１７０は当該サブフレームを不確定フレームと判断する（Ｓ４２８）。
【手続補正７】
【補正対象書類名】明細書
【補正対象項目名】００９３
【補正方法】変更
【補正の内容】
【００９３】
具体的には、干渉判断部１７２は、対象のサブフレームがサービングｅＮｏｄｅＢ１０−２によりＡＢＳに設定されているか否かを判断する（Ｓ４３６）。そして、対象のサブフレームがサービングｅＮｏｄｅＢ１０−２によりＡＢＳに設定されていない場合、干渉判断部１７２は当該サブフレームを非保護フレームと判断する（Ｓ４４０）。
【手続補正８】
【補正対象書類名】明細書
【補正対象項目名】００９４
【補正方法】変更
【補正の内容】
【００９４】
一方、干渉判断部１７２は、対象のサブフレームがサービングｅＮｏｄｅＢ１０−２によりＡＢＳに設定されている場合、全ての隣接するｅＮｏｄｅＢ１０−２が当該サブフレームをＡＢＳに設定しているか否かを判断する（Ｓ４４４）。そして、全ての隣接するｅＮｏｄｅＢ１０−２が当該サブフレームをＡＢＳに設定している場合、干渉判断部１７２は当該サブフレームを保護フレームと判断する（Ｓ４４８）。
【手続補正９】
【補正対象書類名】明細書
【補正対象項目名】００９６
【補正方法】変更
【補正の内容】
【００９６】
その後、干渉判断部１７２は、各サブフレームの判断結果に対応するＣｏｎｆｉｇｕｒａｔｉｏｎを特定し、特定されたＣｏｎｆｉｇｕｒａｔｉｏｎをＸ２通信部１５０がピコｅＮｏｄｅＢ３０に通知する（Ｓ４６０）。